(57)【要約】      （修正有）【課題】高ズーム比で全ズーム範囲で良好な光学特性が得られる小型、軽量なズームレンズを得る。【解決手段】物体側から像側へ順に配置された、正の屈折力の第１レンズ群Ｌ１、負の屈折力の第２レンズ群Ｌ２、正の屈折力の第３レンズ群Ｌ３、開口絞りＳＰ、正の屈折力の第４レンズ群Ｌ４、負の屈折力の第５レンズ群Ｌ５、正又は負の屈折力の第６レンズ群Ｌ６より構成され、ズーミングに際して隣り合うレンズ群の間隔が変化するように各レンズ群が移動するズームレンズにおいて、第１レンズ群は、物体側から像側へ順に配置された正の屈折力の第１レンズ、負の屈折力の第２レンズから構成され、第２レンズの材料は樹脂であり、第１レンズの材料の屈折率とアッベ数Ｎｄｐ１、νｄｐ１、第１レンズの焦点距離ｆｐ１、第２レンズの焦点距離ｆｎ２を各々適切に設定する。【選択図】図１
2017134104.tif 000002
【特許請求の範囲】
【請求項１】
物体側から像側へ順に配置された、正の屈折力の第１レンズ群、負の屈折力の第２レンズ群、正の屈折力の第３レンズ群、開口絞り、正の屈折力の第４レンズ群、負の屈折力の第５レンズ群、正又は負の屈折力の第６レンズ群より構成され、ズーミングに際して隣り合うレンズ群の間隔が変化するように各レンズ群が移動するズームレンズにおいて、
前記第１レンズ群は、物体側から像側へ順に配置された、正の屈折力の第１レンズ、負の屈折力の第２レンズから構成され、前記第２レンズの材料は樹脂であり、前記第１レンズの材料の屈折率とアッベ数を各々Ｎｄｐ１、νｄｐ１、前記第１レンズの焦点距離をｆｐ１、前記第２レンズの焦点距離をｆｎ２とするとき、
１．５＜｜ｆｎ２／ｆｐ１｜＜４．０
０．０１＜Ｎｄｐ１−（２．６２−０．０１６１×νｄｐ１）
なる条件式を満足することを特徴とするズームレンズ。
【請求項２】
前記第２レンズの材料の屈折率とアッベ数を各々Ｎｄｎ２、νｄｎ２とするとき、
０．０１＜０．０００２５９×νｄｎ２2−０．０２６４×νｄｎ２＋２．２１３−Ｎｄｎ２
１５．０＜νｄｎ２＜６０．０
なる条件式を満足することを特徴とする請求項１に記載のズームレンズ。
【請求項３】
前記第２レンズの物体側のレンズ面と像側のレンズ面の曲率半径を各々Ｒ２ａ、Ｒ２ｂとするとき、
０．１５≦（Ｒ２ａ−Ｒ２ｂ）／（Ｒ２ａ＋Ｒ２ｂ）≦０．５５
なる条件式を満足することを特徴とする請求項１または２に記載のズームレンズ。
【請求項４】
広角端における全系の焦点距離をｆｗとするとき、
１．５≦｜ｆｎ２／ｆｗ｜≦６．０
なる条件式を満足することを特徴とする請求項１乃至３のいずれか１項に記載のズームレンズ。
【請求項５】
フォーカシングに際して前記第５レンズ群が移動することを特徴とする請求項１乃至４のいずれか１項に記載のズームレンズ。
【請求項６】
広角端から望遠端へのズーミングに際して、前記第２レンズ群は像側へ凸状の軌跡で移動し、前記第１レンズ群、前記第３レンズ群、前記第４レンズ群、前記第５レンズ群、前記第６レンズ群は物体側へ移動することを特徴とする請求項１乃至５のいずれか１項に記載のズームレンズ。
【請求項７】
前記開口絞りはズーミングに際して移動することを特徴とする請求項１乃至６のいずれか１項に記載のズームレンズ。
【請求項８】
前記第２レンズは物体側に凸面を向けたメニスカス形状のレンズであることを特徴とする請求項１乃至７のいずれか１項に記載のズームレンズ。
【請求項９】
請求項１乃至８のいずれか１項に記載のズームレンズと、該ズームレンズによって形成される像を受光する撮像素子とを有することを特徴とする撮像装置。
【発明の詳細な説明】
【技術分野】
【０００１】
本発明は、ズームレンズ及びそれを有する撮像装置に関し、例えばデジタルカメラ、ビデオカメラ、放送用カメラ、監視用カメラ、銀塩写真用カメラなどの撮像装置の撮像光学系として好適なものである。
【背景技術】
【０００２】
近年、撮像装置に用いる撮像光学系としては、レンズ全長（第１レンズ面から像面までの距離）が短く、全体として小型であり、しかも高いズーム比（変倍比）を有するズームレンズであることが要求されている。これらの要求を満足するズームレンズとして、最も物体側に正の屈折力のレンズ群を配置したポジティブリード型のズームレンズが知られている（特許文献１、２）。
【０００３】
特許文献１では、物体側から像側へ順に、正、負、正、正、負、正の屈折力の第１レンズ群乃至第６レンズ群から成り、ズーミングに際して各レンズ群が移動するズームレンズを開示している。特許文献２では、物体側から像側へ順に、正、負、正、正、正の第１レンズ群乃至第５レンズ群、又は正、負、正、負、正の屈折力の第１レンズ群乃至第５レンズ群よりなり、ズーミングに際して各レンズ群が移動するズームレンズを開示している。
【先行技術文献】
【特許文献】
【０００４】
【特許文献１】特開２０１２−４７８１４号公報
【特許文献２】特開２００６−１８４７７６号公報
【発明の概要】
【発明が解決しようとする課題】
【０００５】
ポジティブリード型のズームレンズは全系の小型化を図りつつ、高ズーム比化を図ることが比較的容易である。多くのポジティブリード型のズームレンズにおいて、Ｆナンバーで決まる軸上光線は第１レンズ群を光軸から高い位置を通過する。このためポジティブリード型のズームレンズでは第１レンズ群の有効径が大きくなり、第１レンズ群が大型化してくる。また望遠端での焦点距離を長く（長焦点距離化）しつつ、高ズーム比化を図ると望遠側のズーム領域において、第１レンズ群より球面収差、コマ収差、色収差等の諸収差が多く発生してくる。
【０００６】
このようにポジティブリード型のズームレンズでは第１レンズ群のレンズ構成が光学性能に大きく影響し、また第１レンズ群の大きさがズームレンズ全体の大きさ及び重量に大きく影響する。このためポジティブリード型のズームレンズにおいて、全系の小型化、軽量化を図りつつ、高ズーム比で全ズーム範囲で高い光学性能を得るには、レンズ群の数や各レンズ群の屈折力に加えて第１レンズ群のレンズ構成を適切に設定することが重要になってくる。特に第１レンズ群を構成するレンズの材料を適切に設定することが軽量化を図る点で重要になってくる。
【０００７】
これらの構成を適切に設定しないと、全系の小型化、軽量化を図りつつ、高ズーム比で、諸収差を良好に補正し、全ズーム範囲で高い光学性能のズームレンズを得るのが難しくなってくる。
【０００８】
本発明は、高ズーム比で全ズーム範囲で良好な光学特性が得られる小型、軽量なズームレンズ及びそれを有する撮像装置の提供を目的とする。
【課題を解決するための手段】
【０００９】
本発明のズームレンズは、物体側から像側へ順に配置された、正の屈折力の第１レンズ群、負の屈折力の第２レンズ群、正の屈折力の第３レンズ群、開口絞り、正の屈折力の第４レンズ群、負の屈折力の第５レンズ群、正又は負の屈折力の第６レンズ群より構成され、ズーミングに際して隣り合うレンズ群の間隔が変化するように各レンズ群が移動するズームレンズにおいて、
前記第１レンズ群は、物体側から像側へ順に配置された、正の屈折力の第１レンズ、負の屈折力の第２レンズから構成され、前記第２レンズの材料は樹脂であり、前記第１レンズの材料の屈折率とアッベ数を各々Ｎｄｐ１、νｄｐ１、前記第１レンズの焦点距離をｆｐ１、前記第２レンズの焦点距離をｆｎ２とするとき、
１．５＜｜ｆｎ２／ｆｐ１｜＜４．０
０．０１＜Ｎｄｐ１−（２．６２−０．０１６１×νｄｐ１）
なる条件式を満足することを特徴としている。
【発明の効果】
【００１０】
本発明によれば、高ズーム比で全ズーム範囲で良好な光学特性が得られる小型、軽量なズームレンズが得られる。
【図面の簡単な説明】
【００１１】
【図１】実施例１のズームレンズの広角端におけるレンズ断面図
【図２】（Ａ）、（Ｂ）  実施例１のズームレンズの無限遠合焦時における広角端と望遠端における縦収差図
【図３】実施例２のズームレンズの広角端におけるレンズ断面図
【図４】（Ａ）、（Ｂ）  実施例２のズームレンズの無限遠合焦時における広角端と望遠端における縦収差図
【図５】実施例３のズームレンズの広角端におけるレンズ断面図
【図６】（Ａ）、（Ｂ）  実施例３のズームレンズの無限遠合焦時における広角端と望遠端における縦収差図
【図７】本発明の撮像装置の要部概略図
【発明を実施するための形態】
【００１２】
以下に本発明の好ましい実施の形態を、添付の図面に基づいて説明する。本発明のズームレンズは、物体側から像側へ順に配置された次のレンズ群より構成されている。
【００１３】
正の屈折力の第１レンズ群、負の屈折力の第２レンズ群、正の屈折力の第３レンズ群、開口絞り、正の屈折力の第４レンズ群、負の屈折力の第５レンズ群、正又は負の屈折力の第６レンズ群より構成されている。ズーミングに際して隣り合うレンズ群の間隔が変化するように各レンズ群が移動する。ここでレンズ群とはズーミング及びフォーカシングに伴う光軸方向のレンズ間隔の変化によって分けられるレンズ系及び開口絞りによって分けられるレンズ系をいう。
【００１４】
図１は実施例１のズームレンズの広角端（短焦点距離端）における無限遠物体合焦時（フォーカス時）のレンズ断面図である。図２（Ａ）、（Ｂ）は実施例１の広角端と望遠端（長焦点距離端）における無限遠物体合焦時の収差図である。実施例１はズーム比３．４３、Ｆナンバー４．４６〜６．５５のズームレンズである。
【００１５】
図３は実施例２の広角端における無限遠物体合焦時のレンズ断面図である。図４（Ａ）、（Ｂ）は実施例２の広角端と望遠端における無限遠物体合焦時の収差図である。実施例２はズーム比４．２５、Ｆナンバー４．１６〜５．８８のズームレンズである。図５は実施例３の広角端における無限遠物体合焦時のレンズ断面図である。図６（Ａ）、（Ｂ）は実施例３の広角端と望遠端における無限遠物体合焦時の収差図である。実施例３はズーム比４．２５、Ｆナンバー４．１６〜５．８８のズームレンズである。図７は本発明のズームレンズを備えるデジタルカメラ（撮像装置）の要部概略図である。
【００１６】
各実施例のズームレンズはデジタルカメラやビデオカメラ、放送用カメラ、監視用カメラ、銀塩写真用カメラなどの撮像装置に用いられるズームレンズである。尚、実施例のズームレンズは投射装置（プロジェクタ）用の投射光学系として用いることもできる。
【００１７】
レンズ断面図において、左方が物体側（前方）で、右方が像側（後方）である。また、レンズ断面図において、ＯＬはズームレンズである。ＯＡは光軸である。またレンズ断面図においてｉを物体側からのレンズ群の順番とすると、Ｌｉは第ｉレンズ群を示す。ＳＰは開口絞りである。
【００１８】
ＩＰは像面である。像面ＩＰは、デジタルカメラやビデオカメラなどの撮像装置としてズームレンズを使用する際には、ＣＣＤセンサやＣＭＯＳセンサなどの撮像素子（光電変換素子）の撮像面に相当する。銀塩フィルムカメラの撮像装置としてズームレンズを使用する際には、フィルム面に相当する。広角端から望遠端へのズーミングに際して、矢印に示すように、隣り合うレンズ群の間隔が変化するように各レンズ群が移動する。
【００１９】
無限遠物体から近距離物体へのフォーカシングに際して、第５レンズ群Ｌ５が像側へ移動する。レンズ断面図には記載していないが、最終レンズ面と像面との間には必要に応じてローパスフィルターやＩＲカットフィルター等を配置することもある。各実施例において撮像された画像を画像処理装置に読み込み、画像合成処理を行っても良い。
【００２０】
球面収差図について、ＦｎｏはＦナンバーである。また実線のｄはｄ線（波長５８７．６ｎｍ）、二点鎖線のｇはｇ線（波長４３５．８ｎｍ）である。非点収差図において点線のＭはｄ線におけるメリディオナル像面、実線のＳはｄ線におけるサジタル像面である。歪曲収差図はｄ線について示している。倍率色収差図はｄ線に対するｇ線について示している。ωは半画角（度）である。
【００２１】
各実施例のズームレンズは、物体側から像側へ順に、次のとおりに配置されたレンズ群より構成されている。正の屈折力の第１レンズ群Ｌ１、負の屈折力の第２レンズ群Ｌ２、正の屈折力の第３レンズ群Ｌ３、開口絞りＳＰ、正の屈折力の第４レンズ群Ｌ４，負の屈折力の第５レンズ群Ｌ５、正又は負の屈折力の第６レンズ群Ｌ６から構成されている。
【００２２】
実施例１において第６レンズ群Ｌ６は負の屈折力である。実施例２、３において第６レンズ群Ｌ６は正の屈折力である。実施例１では、広角端から望遠端へのズーミングに際して第２レンズ群Ｌ２は像側へ凸状の軌跡で移動し、第１レンズ群Ｌ１、第３レンズ群Ｌ３、第４レンズ群Ｌ４、第５レンズ群Ｌ５、第６レンズ群Ｌ６は物体側へ移動する。
【００２３】
第３レンズ群Ｌ３と第４レンズ群Ｌ４は一体的に（同じ軌跡で）移動する。広角端に比べて望遠端において第１レンズ群Ｌ１と第２レンズ群Ｌ２の間隔が大きく、第２レンズ群Ｌ２と第３レンズ群Ｌ３の間隔が小さく、第４レンズ群Ｌ４と第５レンズ群Ｌ５の間隔が小さく、第５レンズ群Ｌ５と第６レンズ群Ｌ６の間隔が小さくなる。開口絞りＳＰは、第３レンズ群Ｌ３、第４レンズ群Ｌ４と一体的に移動する。
【００２４】
実施例２、３では広角端から望遠端へのズーミングに際して第２レンズ群Ｌ２は像側へ凸状の軌跡で移動し、第１レンズ群Ｌ１、第３レンズ群Ｌ３、第４レンズ群Ｌ４、第５レンズ群Ｌ５、第６レンズ群Ｌ６は物体側へ互いに独立に（異なった軌跡で）移動する。即ち、実施例２、３では、ズーミングに際して隣り合うレンズ群の間隔が変化する。
【００２５】
広角端に比べて望遠端において、第１レンズ群Ｌ１と第２レンズ群Ｌ２の間隔が大きく、第２レンズ群Ｌ２と第３レンズ群Ｌ３の間隔が小さく、第３レンズ群Ｌ３と第４レンズ群Ｌ４が小さくなる。更に第４レンズ群Ｌ４と第５レンズ群Ｌ５の間隔が大きく、第５レンズ群Ｌ５と第６レンズ群Ｌ６の間隔が小さくなる。開口絞りＳＰは、第３レンズ群Ｌ３と一体的に移動する。
【００２６】
各実施例において、第１レンズ群Ｌ１は、物体側から像側へ順に配置された、正（正の屈折力）の第１レンズ、負（負の屈折力）の第２レンズから構成されている。第２レンズの材料は樹脂であり、第１レンズの材料の屈折率とアッベ数を各々Ｎｄｐ１、νｄｐ１とする。第１レンズの焦点距離をｆｐ１、第２レンズの焦点距離をｆｎ２とする。このとき、
１．５＜｜ｆｎ２／ｆｐ１｜＜４．０                        ・・・（１）
０．０１＜Ｎｄｐ１−（２．６２−０．０１６１×νｄｐ１）  ・・・（２）
なる条件式を満足する。
【００２７】
第１レンズ群Ｌ１は物体側より像側へ順に、正の第１レンズ、負の第２レンズからなり、第２レンズの材料は樹脂である。第１レンズ群Ｌ１の有効径は望遠端におけるＦナンバーで決まる軸上光束径に相当し、第１レンズ群Ｌ１は高重量となる傾向がある。本発明では、第１レンズ群Ｌ１に一般的なガラスに比べて比重の小さな樹脂を使用することで、ズームレンズを軽量化している。
【００２８】
しかしながら、一般的に樹脂はガラスに比べて、温度変化による屈折率の変化などが大きい。そのため、樹脂よりなるレンズは、温度変化による光学的な性能変化(例えばピントズレや球面収差のズレ)が大きくなりやすい。また、樹脂は温度による屈折率の変化量が負の値である。即ち、温度が高くなると可視光や領域（波長４００ｎｍ〜７００ｎｍ）において、屈折率が低下する。このため、正レンズの材料に温度による屈折率の変化量が正の値のガラス材料を用いると、温度変化による光学的な性能変化がさらに増大してくる。
【００２９】
一般的に殆どのガラス材料は、温度による屈折率の変化量が正の値であるが、一部の低分散材料の温度による屈折率の変化量は負の値となっている。全ズーム域で温度変化による光学的な性能変化を抑制するためには各レンズ群内で温度変化による光学的な性能変化を小さくする必要がある。
【００３０】
本発明のズームレンズは第１レンズ群Ｌ１に含まれる正レンズの材料に低分散材料を使用することで、負レンズから発生する温度変化による光学的な性能変化を抑制しつつ望遠側において軸上色収差や倍率色収差を良好に補正している。また本発明のズームレンズは第１レンズ群Ｌ１に含まれる負の第２レンズに非球面を用いることで、第１レンズ群Ｌ１に含まれる正レンズより発生する球面収差・コマ収差等の諸収差を良好に補正している。
【００３１】
条件式（１）は第１レンズ群Ｌ１に含まれる第１レンズの焦点距離ｆｐ１と第２レンズの焦点距離ｆｎ２の比を規定する。条件式（１）の上限を超えて、第２レンズの負の屈折力が弱くなると（負の屈折力の絶対値が小さくなると）第１レンズ群Ｌ１に含まれる第１レンズより発生する球面収差とコマ収差等の諸収差の補正が困難になる。逆に条件式（１）の下限を超えて、第２レンズの負の屈折力が強くなると（負の屈折力の絶対値が大きくなると）、温度変化による光学的な性能変化が大きくなってくる。
【００３２】
条件式（２）を満たすことで、第１レンズ群Ｌ１に含まれる正の第１レンズの材料の温度による屈折率の変化量が負の値となり、第１レンズ群Ｌ１に含まれる負の第２レンズより発生する温度変化による光学的な性能変化を軽減している。さらに第１レンズ群Ｌ１に含まれる正の第１レンズの材料に低分散材料を使用することにより望遠側において軸上色収差や倍率色収差を良好に補正している。更に好ましくは、条件式（１）、（２）の数値範囲を以下の範囲とするのが良い。
【００３３】
１．６＜｜ｆｎ２／ｆｐ１｜＜３．８                        ・・・（１ａ）
０．０３＜Ｎｄｐ１−（２．６２−０．０１６１×νｄｐ１）  ・・・（２ａ）
【００３４】
更に好ましくは、以下の範囲とするのが良い。
１．７＜｜ｆｎ２／ｆｐ１｜＜３．５                        ・・・（１ｂ）
０．０５＜Ｎｄｐ１−（２．６２−０．０１６１×νｄｐ１）  ・・・（２ｂ）
【００３５】
各実施例において更に好ましくは次の条件式のうち１つ以上を満足するのが良い。第２レンズの材料の屈折率とアッベ数を各々Ｎｄｎ２、νｄｎ２とする。第２レンズの物体側のレンズ面と像側のレンズ面の曲率半径を各々Ｒ２ａ、Ｒ２ｂとする。広角端における全系の焦点距離をｆｗとする。このとき、次の条件式のうち１つ以上を満足するのが良い。
【００３６】
０．０１＜０．０００２５９×νｄｎ２2−０．０２６４×νｄｎ２＋２．２１３−Ｎｄｎ２                                                          ・・・（３）
１５．０＜νｄｎ２＜６０．０                                  ・・・（４）
０．１５≦（Ｒ２ａ−Ｒ２ｂ）／（Ｒ２ａ＋Ｒ２ｂ）≦０．５５    ・・・（５）
１．５≦｜ｆｎ２／ｆｗ｜≦６．０                              ・・・（６）
【００３７】
次に前述の条件式の技術的意味について説明する。条件式（３）および（４）は、負の第２レンズの材料で使用すると好ましい樹脂の屈折率とアッベ数の存在範囲を規定したものである。条件式（３）、（４）の範囲内であれば、成形性・透過率などの点から、光学レンズとして良好に適用できる。第１レンズ群Ｌ１は望遠端におけるＦナンバーで決まる軸上光束の径以上の外径となる。このため第１レンズ群Ｌ１の重量が重くなる傾向にあり、この第１レンズ群Ｌ１に含まれる負の第２レンズにガラスに比べて軽量な樹脂を使用することで、ズームレンズ全体を軽量化している。
【００３８】
条件式（５）は、第１レンズ群Ｌ１に含まれる負の第２レンズの形状因子を規定する。各実施例において第２レンズは物体側に凸面を向けたメニスカス形状のレンズよりなる。また第２レンズは非球面形状のレンズ面を有している。
【００３９】
第２レンズの像側のレンズ面にて軸上光束を大きく屈折させることで第１レンズ群Ｌ１において球面収差・コマ収差をバランス良く補正している。条件式（５）の上限を超えると負の第２レンズの像側のレンズ面より球面収差・コマ収差等の諸収差が多く発生してきて、これらの諸収差の補正が困難になる。また、条件式（５）の下限を超えると負の第２レンズの屈折力が少なくなり、第１レンズ群Ｌ１において色収差の補正が困難になってくる。
【００４０】
条件式（６）は、第１レンズ群Ｌ１に含まれる負の第２レンズの焦点距離と広角端における全系の焦点距離の比を規定する。条件式（６）の上限を超えると第２レンズの負の屈折力が弱まり第１レンズ群Ｌ１内において色収差を良好に補正するのが困難になる。また条件式（６）の下限を超えると第２レンズの負の屈折力が強くなりすぎて、第１レンズ群Ｌ１内において球面収差・コマ収差の補正が困難になってくる。更に好ましくは条件式（３）乃至（６）の数値範囲を次の如く設定するのが良い。
【００４１】
０．０３＜０．０００２５９×νｄｎ２2−０．０２６４×νｄｎ２＋２．２１３−Ｎｄｎ２                                                          ・・・（３ａ）
２０．０＜νｄｎ２＜５０．０                                  ・・・（４ａ）
０．１９≦（Ｒ２ａ−Ｒ２ｂ）／（Ｒ２ａ＋Ｒ２ｂ）≦０．４０    ・・・（５ａ）
２．０≦｜ｆｎ２／ｆｗ｜≦５．０                              ・・・（６ａ）
【００４２】
各実施例において第２レンズ群Ｌ２は物体側から像側へ順に負レンズと正レンズを接合した接合レンズ、負レンズより構成されている。第３レンズ群Ｌ３は物体側から像側へ順に、正レンズ、正レンズ、正レンズと負レンズを接合した接合レンズより構成されている。または、第３レンズ群Ｌ３は物体側から像側へ順に、正レンズ、正レンズと負レンズを接合した接合レンズより構成されている。
【００４３】
第４レンズ群Ｌ４は物体側から像側へ順に、正レンズ、負レンズ、正レンズより構成されている。または第４レンズ群Ｌ４は物体側から像側へ順に、負レンズ、正レンズ、正レンズより構成されている。又は第４レンズ群Ｌ４は正レンズより構成されている。第５レンズ群Ｌ５は物体側から像側へ順に、正レンズと負レンズを接合した接合レンズより構成されている。又は第５レンズ群Ｌ５は物体側から像側へ順に、正レンズ、負レンズより構成されている。
【００４４】
第６レンズ群Ｌ６は物体側から像側へ順に、正レンズと負レンズを接合した接合レンズより構成されている。又は第６レンズ群Ｌ６は正レンズより構成されている。以上、本発明の好ましい実施形態について説明したが、本発明はこれらの実施形態に限定されず、その要旨の範囲内で種々の変形及び変更が可能である。
【００４５】
次に本発明のズームレンズを用いたデジタルスチルカメラ（撮像装置）の実施例を図７を用いて説明する。図７において、２０はカメラ本体、２１は本発明のズームレンズによって構成された撮像光学系である。２２はカメラ本体に内蔵され、撮像光学系２１によって形成された被写体像を受光するＣＣＤセンサやＣＭＯＳセンサ等の固体撮像素子（光電変換素子）、２３は固体撮像素子２２によって光電変換された被写体像に対応する情報を記録するメモリである。２４は液晶ディスプレイパネル等によって構成され、固体撮像素子２２上に形成された被写体像を観察するためのファインダである。
【００４６】
以下に、実施例１乃至３に各々対応する数値データ１乃至３を示す。各数値データにおいて、ｉは物体側からの面の順番を示し、ｒｉは第ｉ番目（第ｉ面）の光学面の曲率半径である。ｄｉは第ｉ面と第ｉ＋１面との間の間隔である。ｎｄｉ、νｄｉはそれぞれｄ線を基準とした第ｉ番目の光学部材の材料の屈折率、アッベ数を示す。ＢＦはバックフォーカスである。＊はその面が非球面であることを示す。非球面データには、非球面を次式で表した場合の非球面係数を示す。
【００４７】
ｘ＝（ｈ2／Ｒ）／［１＋｛１−（１＋ｋ）（ｈ／Ｒ）2｝1/2 ＋Ｂ・ｈ4＋Ｃ・ｈ6＋Ｄ・ｈ8＋Ｅ・ｈ10＋Ｆ・ｈ12
但し、ｘは光軸方向の基準面からの変位量、ｈは光軸に対して垂直な方向の高さ、Ｒはベースとなる２次曲面の半径（近軸曲率半径）、Ｂ、Ｃ、Ｄ、Ｅ、Ｆはそれぞれ４次、６次、８次、１０次、１２次の非球面係数である。尚、「ｅ−Ｚ」の表示は「１０−Ｚ」を意味する。又前述の各条件式と数値データにおける諸数値との関係を表１に示す
【００４８】
（数値データ１）
単位 mm
面データ
面番号       r        d      nd         νd
1         42.980    4.14   1.49700    81.5           
2       -225.898    0.15                             
3*        72.101    2.00   1.63200    23.0           
4*        48.553  (可変)                             
5       -380.593    1.00   1.80610    40.9           
6         16.351    3.17   1.80809    22.8           
7         50.526    1.68                             
8        -39.604    0.90   1.80400    46.6           
9       -430.395  (可変)                             
10         23.789    2.69   1.48749    70.2           
11        249.952    0.15                             
12         34.029    1.96   1.48749    70.2           
13        120.136    0.15                             
14         23.594    3.10   1.49700    81.5           
15       -192.978    0.80   1.84666    23.9           
16         61.896    2.72                             
17(絞り)    ∞       1.62                             
18*        50.979    1.83   1.58313    59.4           
19*      -119.118    0.10                             
20         86.154    0.70   1.74320    49.3           
21         18.571    3.54                             
22         30.757    1.64   1.80400    46.6           
23        378.164  (可変)                             
24         57.890    1.50   1.64769    33.8           
25        -71.168    0.60   1.71300    53.9           
26         23.888  (可変)                             
27        -24.918    3.88   1.70154    41.2           
28        -15.640    1.00   1.51633    64.1           
29        -62.673  (可変)                             
像面        ∞   
【００４９】
非球面データ
第3面
K = 2.19928e+000  B= 1.54417e-006  C= 2.05615e-012  D=-4.40206e-011  E=-1.05898e-014  F= 3.51711e-016  
第4面
K = 6.71929e-001  B= 2.97626e-006  C= 8.93201e-010  D=-4.17353e-011  E=-1.44200e-013  F= 8.32274e-016  
第18面
K = 0.00000e+000  B=-4.17264e-005  C=-3.93350e-007  D= 6.00710e-009  E=-5.33229e-011  F= 4.71962e-013  
第19面
K = 0.00000e+000  B=-5.26752e-006  C=-4.61488e-007  D= 9.08962e-009  E=-8.83292e-011  F= 6.35210e-013  
【００５０】
各種データ
ズーム比     3.43 
広角     中間     望遠
焦点距離      56.90   135.00   195.00  
Fナンバー      4.46     5.44     6.55  
半画角（度）  13.50     5.78     4.01  
像高          13.66    13.66    13.66  
レンズ全長   104.19   129.98   145.58  
BF            10.00    27.16    53.17  
d 4            2.48    30.56    35.68  
d 9           19.18     5.80     1.00  
d16            2.72     2.72     2.72  
d23            3.56     3.46     2.77  
d26           27.96    22.00    11.97  
d29           10.00    27.16    53.17  
ｆｎ２  -243.22
ｆｐ１  73.03
【００５１】
ズームレンズ群データ
群  始面    焦点距離  
1    1     100.60  
2    5     -26.95  
3   10      28.13  
4   17      96.21  
5   24     -52.20  
6   27    -149.27
【００５２】
（数値データ２）
単位 mm
面データ
面番号       r        d      nd         νd
1         47.990    6.75   1.43875    94.9           
2       -510.932    0.20                             
3*        84.144    3.00   1.58306    30.2           
4*        54.276  (可変)                             
5        -84.332    0.80   1.71300    53.9           
6         20.906    2.63   1.80809    22.8           
7         48.821    2.06                             
8        -43.785    0.80   1.80400    46.6           
9       -192.725  (可変)                             
10         70.826    3.34   1.80400    46.6           
11        -58.771    0.20                             
12         37.002    5.48   1.49700    81.5           
13        -37.702    1.12   1.90366    31.3           
14        135.775    4.48                             
15(絞り)    ∞     (可変)                             
16       3235.557    1.00   1.80610    33.3           
17         36.393    0.28                             
18         45.951    3.11   1.72916    54.7           
19        -53.518    0.10                             
20         32.713    2.32   1.65844    50.9           
21         93.413  (可変)                             
22        -91.450    1.47   1.76182    26.5           
23        -35.913    1.61                             
24        -37.490    0.70   1.69680    55.5           
25         30.679  (可変)                             
26         60.815    1.99   1.54072    47.2           
27        350.222  (可変)                             
像面        ∞   
【００５３】
非球面データ
第3面
K = 0.00000e+000  B= 3.12418e-006  C=-2.94581e-009  D= 1.12623e-012  
第4面
K = 0.00000e+000  B= 4.27708e-006  C=-2.30707e-009  D= 6.84523e-013  E= 9.16291e-016  
【００５４】
各種データ
ズーム比     4.25 
広角     中間     望遠
焦点距離      56.81   135.00   241.30  
Fナンバー      4.16     5.18     5.88  
半画角（度）  13.52     5.78     3.24  
像高          13.66    13.66    13.66  
レンズ全長   147.26   189.92   210.00  
BF            38.74    58.01    65.29  
d 4            7.21    49.88    69.96  
d 9           27.21    12.59     1.69  
d15           10.00     5.35     8.97  
d21            3.86     4.78     5.93  
d25           16.78    15.86    14.71  
d27           38.74    58.01    65.29  
ｆｎ２  -272.32
ｆｐ１  100.36
【００５５】
ズームレンズ群データ
群  始面    焦点距離  
1    1     150.15  
2    5     -28.20  
3   10      42.79  
4   16      46.55  
5   22     -36.05  
6   26     135.78  
【００５６】
（数値データ３）
単位 mm
面データ
面番号       r        d      nd         νd
1         42.393    9.21   1.59522    67.7           
2       14276.464    0.20                             
3*        78.681    3.00   1.58306    30.2           
4*        37.340  (可変)                             
5        542.237    0.80   1.90366    31.3           
6         15.953    3.12   1.92286    18.9           
7         43.630    2.16                             
8        -33.449    0.80   1.72916    54.7           
9       -307.398  (可変)                             
10*       248.505    2.76   1.58306    30.2           
11*       -47.388    2.87                             
12         27.010    5.91   1.49700    81.5           
13        -30.856    1.00   2.00069    25.5           
14        395.596    8.30                             
15(絞り)    ∞     (可変)                             
16*        37.927    4.31   1.58313    59.4           
17*       -40.512  (可変)                             
18        -70.592    1.57   1.83400    37.2           
19        -35.859    2.12                             
20        -31.816    0.70   1.49700    81.5           
21         28.356  (可変)                             
22         56.257    1.50   1.83400    37.2           
23         56.256  (可変)                             
像面        ∞   
【００５７】
非球面データ
第3面
K = 0.00000e+000  B=-1.58481e-007  C=-8.89405e-010  D=-9.59751e-013  E= 1.20589e-015  F= 7.54320e-020  
第4面
K = 0.00000e+000  B= 1.28690e-006  C= 1.48922e-010  D= 1.33427e-014  E=-3.54174e-015  F= 8.23746e-018  
第10面
K = 0.00000e+000  B= 4.49190e-007  C=-1.96039e-008  D= 1.50895e-010  E=-2.13995e-012  F= 1.24480e-014  
第11面
K = 0.00000e+000  B=-2.85466e-006  C=-3.07121e-009  D=-2.10960e-010  E= 1.04926e-012  F= 2.07745e-015  
第16面
K = 0.00000e+000  B=-8.75539e-006  C=-8.16982e-010  D= 3.68141e-011  E=-6.46096e-013  F= 1.77711e-014  
第17面
K = 0.00000e+000  B= 5.62578e-006  C= 4.44020e-009  D=-2.44573e-010  E= 3.08711e-012  F= 1.87249e-015  
【００５８】
各種データ
ズーム比     4.25 
広角     中間     望遠
焦点距離      56.80   137.00   241.20  
Fナンバー      4.16     5.15     5.88  
半画角（度）  13.52     5.69     3.24  
像高          13.66    13.66    13.66  
レンズ全長   151.79   193.00   204.19  
BF            38.00    52.23    65.55  
d 4            8.78    49.99    61.18  
d 9           25.61    14.26     1.50  
d15            5.41     2.53     1.97  
d17            2.87     1.60     3.72  
d21           20.80    22.07    19.95  
d23           38.00    52.23    65.55  
ｆｎ２  -125.23
ｆｐ１  71.42
【００５９】
ズームレンズ群データ
群  始面    焦点距離  
1    1     140.83  
2    5     -26.17  
3   10      60.30  
4   16      34.29  
5   18     -47.59  
6   22     5577.68 
【００６０】
【表１】
2017134104.tif 000003
【符号の説明】
【００６１】
ＯＬ  ズームレンズ    Ｌ１  第１レンズ群    Ｌ２  第２レンズ群
Ｌ３  第３レンズ群    Ｌ４  第４レンズ群    Ｌ５  第５レンズ群
Ｌ６  第６レンズ群
【図１】
2017134104.tif 000004
【図２】
2017134104.tif 000005
【図３】
2017134104.tif 000006
【図４】
2017134104.tif 000007
【図５】
2017134104.tif 000008
【図６】
2017134104.tif 000009
【図７】
2017134104.tif 000010